(57)【特許請求の範囲】
【請求項１】
成形機の制御装置であって、
タッチパネルを有する操作表示部と、
前記タッチパネルにアラームコメントを含むアラーム画面を表示する手段と、
各種アラームコメントごとにそれぞれのアラームコメントに関する複数の分類項目を有する診断コードグループリストを格納する手段と、
各種成形条件の信号名ごとにそれぞれの成形条件に関する複数の分類項目を有する成形条件グループリストを格納する手段と、
前記タッチパネルに表示された前記アラーム画面の設定ボタンが操作されたとき該アラーム画面上のアラームコメントに対応した前記診断コードグループリストを呼び出す手段と、
呼び出された前記診断コードグループリスト中の各分類項目のうち特定の分類項目と前記成形条件グループリスト中の各分類項目とを照合し、両者が互いに一致したときその分類項目が含まれる成形条件グループリストを有する成形条件の情報を設定値一覧画面に加える手段と、
前記設定値一覧画面を前記タッチパネルに表示する手段と、
を具備したことを特徴とする成形機の制御装置。
【請求項２】
前記設定値一覧画面に表示された複数の成形条件のうちいずれかの成形条件が該画面上で選択されたとき、該成形条件の設定値を変更可能な設定画面を前記タッチパネルに表示する手段をさらに有したことを特徴とする請求項１に記載の成形機の制御装置。
【請求項３】
前記設定画面の一部に、該設定画面を閉じて前記設定値一覧画面に戻る終了ボタンを有し、前記設定値一覧画面の一部に、該設定値一覧画面から前記アラーム画面に戻すための戻りボタンを有したことを特徴とする請求項２に記載の成形機の制御装置。
【請求項４】
成形機の制御方法であって、
操作表示部のタッチパネルにアラームコメントを含むアラーム画面を表示し、
各種アラームコメントごとにそれぞれのアラームコメントに関する複数の分類項目を有する診断コードグループリスト、をメモリに格納し、
各種成形条件ごとにそれぞれの成形条件に関する複数の分類項目を有する成形条件グループリスト、をメモリに格納し、
前記タッチパネルに表示された前記アラーム画面の設定ボタンが操作されたとき該アラーム画面上のアラームコメントに対応した前記診断コードグループリストを前記メモリから呼び出し、
呼び出された前記診断コードグループリスト中の各分類項目のうち特定の分類項目と前記成形条件グループリスト中の各分類項目とを照合し、両者が互いに一致したときその分類項目が含まれる成形条件グループリストを有する成形条件の情報を設定値一覧画面に加え、
前記設定値一覧画面を前記タッチパネルに表示し、
前記設定値一覧画面に表示された複数の成形条件のうちいずれかの成形条件が該画面上で選択されたとき、この選択された成形条件の設定値を変更可能な設定画面を前記タッチパネルに表示することを特徴とする成形機の制御方法。
【請求項５】
前記設定画面の一部に、設定値表示部と、該設定値表示部に表示された設定値を増加させるボタンと、前記設定値を減少させるボタンと、該設定画面を閉じて前記設定値一覧画面に戻る終了ボタンとを表示することを特徴とする請求項４に記載の成形機の制御方法。
【請求項６】
前記成形条件に成形機のサーボパラメータ、速度、位置、圧力、時間が含まれていることを特徴とする請求項４に記載の成形機の制御方法。
【発明の詳細な説明】
【技術分野】
【０００１】
本発明は、射出成形機やダイキャスト成形機等の成形機に適用される制御装置と制御方法に関する。
【背景技術】
【０００２】
射出成形機やダイキャスト成形機等のように金型を使用する成形機は、制御装置に組込まれたプログラムに基いて、型閉、射出、保圧、型開などの一連のサイクルを所定の順序で繰返すことにより、成形品を能率良く製造するように構成されている。このような成形機では、成形品の種類や材料、金型等に応じた成形条件が設定されている。
【０００３】
前記成形機には、タッチパネル付きの操作表示部を備えたヒューマンマシン・インタフェース部が装備され、タッチパネルを用いて成形条件の検索や入力操作を行なうことができるようになっている。例えば、タッチパネルを用いて、計量、射出、型開閉、成形品の取出し等に関する各種データを制御部に入力するとともに、これらのデータがタッチパネルに表示される。
【０００４】
一方で成形機は、成形品の良否を判断するために、特定の時間や圧力、位置などを検出し、成形品が良品の許容範囲内にあるか否かを判定する品質モニタを設け、良品の許容範囲外となった場合に、作業員等に報知するとともに対策を講じるためにアラームメッセージを表示部に表示することも行なわれている。（例えば特許文献１，２）
成形機は、工場内の環境変化や温度変化、機構可動部の摩耗あるいは摩擦係数の変化、成形品の材料の状態等によって、成形条件が時々刻々と変化している。このため入力直後の成形条件では良品であったとしても、時間が経過すると成形条件が変化し、その結果、不良品が生じてしまうことがある。よって、成形条件の微調整が必要である。
【０００５】
特許文献３に記載されているように、成形機に異常が生じたときに、実績値表示画面に成形条件および実績値が表示されるとともに、異常に対応させて画面が切り換わり、実績値表示画面が形成されるようにした成形機管理方法も提案されている。
【先行技術文献】
【特許文献】
【０００６】
【特許文献１】特開２００７−２１６４４９号公報
【特許文献２】特開２００７−０２１８２７号公報
【特許文献３】特開２００８−１２６５２７号公報
【発明の概要】
【発明が解決しようとする課題】
【０００７】
近年の射出成形機等の成形機では、多岐にわたる成形技術の多様性が高まり、しかも豊富なオプションなどを利用して成形するため、成形条件の設定項目がきわめて多い。また設定のための表示部も複数の画面を用いて行なっているため、成形条件を設定し直すことは容易でない。例えば、充填時間モニタエラーが発生した場合には、充填速度および速度切換位置および充填圧力を設定するための画面、温度条件等を設定するための画面、計量条件を設定するための画面、充填制御のオプション画面など、少なくとも４種類の画面を切り替えながら様々な設定値を各画面を見ながら入力する必要がある。
【０００８】
このためアラームメッセージが出た現場においてアラームの原因を排除するような成形条件の再設定は容易でなく、設定を誤ったり、設定漏れを生じたりする可能性がある。設定を誤ると無駄な成形を行なってしまう原因となり、それまでの処理に要した時間も無駄になる。不慣れな作業者では成形条件の設定を誤ることも考えられる。
【０００９】
従って本発明の目的は、アラーム表示がなされたときにアラームの内容に応じた成形条件を調整することが可能な成形機の制御装置と制御方法を提供することにある。
【課題を解決するための手段】
【００１０】
本発明は成形機の制御装置であって、タッチパネルを有する操作表示部と、前記タッチパネルにアラームコメントを含むアラーム画面を表示する手段と、各種アラームコメントごとにそれぞれのアラームコメントに関する複数の分類項目を有する診断コードグループリストを格納する手段と、各種成形条件の信号名ごとにそれぞれの成形条件に関する複数の分類項目を有する成形条件グループリストを格納する手段と、前記タッチパネルに表示された前記アラーム画面の設定ボタンが操作されたとき該アラーム画面上のアラームコメントに対応した前記診断コードグループリストを呼び出す手段と、呼び出された前記診断コードグループリスト中の各分類項目のうち特定の分類項目と前記成形条件グループリスト中の各分類項目とを照合し、両者が互いに一致したときその分類項目が含まれる成形条件グループリストを有する成形条件の情報を設定値一覧画面に加える手段と、前記設定値一覧画面を前記タッチパネルに表示する手段とを具備している。
【００１１】
本発明の１つの実施形態では、前記設定値一覧画面に表示された複数の成形条件のうちいずれかの成形条件が該画面上で選択されたとき、該成形条件の設定値を変更可能な設定画面を前記タッチパネルに表示する手段をさらに有している。また、前記設定画面の一部に前記設定値一覧画面に戻すための終了ボタンを有し、前記設定値一覧画面の一部に前記アラーム画面に戻すための戻りボタンを有していてもよい。
【発明の効果】
【００１２】
本発明によれば、操作表示部にアラーム画面（アラームコメント等）が表示されたときに、アラーム画面上の設定ボタンを操作することにより、アラームコメントに応じた成形条件の情報が設定値一覧画面に表示されるため、アラームの原因となった成形条件を容易に判断することができる。また、設定値一覧画面に表示された成形条件のうち所望の項目を選択したときに設定画面を表示するように構成すれば、この設定画面を用いて成形条件の再設定や設定値の微調整等を能率良く行なうことができる。
【図面の簡単な説明】
【００１３】
【図１】成形機の一つの実施形態を示す斜視図。
【図２】図１に示された成形機のブロック図。
【図３】アラーム画面の一例を示す図。
【図４】設定値一覧画面の一例を示す図。
【図５】設定画面の一例を示す図。
【図６】診断検出部とアラームコメントリストと診断コードグループリストの一例を示す図。
【図７】信号名“ＬＳ４”に対応する成形条件グループリストの一部を示す図。
【図８】信号名“ＨＮ”に対応する成形条件グループリストの一部を示す図。
【図９】信号名“ＦＩＬＳＴＤ”に対応する成形条件グループリストの一部を示す図。
【図１０】制御装置の一つの実施形態による処理の流れの一例を示すフローチャート。
【発明を実施するための形態】
【００１４】
以下に本発明の１つの実施形態について、図１から図１０を参照して説明する。  
図１は、成形機の一例である電動式の射出成形機１０を示している。これ以降、射出成形機１０を単に成形機１０と称する。図２は成形機１０の構成の概略を示すブロック図である。
【００１５】
この成形機１０は、基体としてのフレームを含むボディ１１と、ボディ１１上に配置された成形機本体１２と、成形動作を制御するためのコンピュータプログラム等が組込まれた制御装置１３と、ヒューマンマシン・インタフェース部として機能する操作表示部１４などを備えている。成形機本体１２は、射出ユニット１５と型締ユニット１６とを含んでいる。成形機本体１２には、成形品取出し機構をはじめとして各種の周辺機器１７（図２に示す）が付属している。
【００１６】
操作表示部１４はタッチパネル１４ａと入力操作キー部１４ｂを含んでいる。タッチパネル１４ａには、各種表示のためのディスプレイ画面が表示されるとともに、各種スイッチ部が表示され、所望のスイッチ部を操作（タッチ）したときに入力操作がなされるように構成されている。入力操作キー部１４ｂは、成形機１０を作動させる際あるいは停止させる際などに操作される機械式スイッチや表示ランプ等が配置されている。
【００１７】
射出ユニット１５の一例は、バレル２０と、バレル２０の内部に回転および前進後退可能に設けられたスクリュー２１と、スクリュー２１を駆動するためのスクリュー駆動機構２２と、樹脂等の材料を加熱するための加熱装置（図示せず）などを備えている。射出ユニット１５はボディ１１上に設けられたレール２５に沿って前進および後退可能である。バレル２０の先端にノズル２６が設けられている。
【００１８】
型締ユニット１６は、固定ダイプレート３０と、移動ダイプレート３１と、型締駆動機構３２などを含んでいる。固定ダイプレート３０に固定側金型（図示せず）が取付けられている。移動ダイプレート３１には移動側金型（図示せず）が取付けられている。型締駆動機構３２によって移動ダイプレート３１を駆動することにより、固定側金型に対する移動側金型の開閉動作がなされる。固定側金型と移動側金型との間に、成形品のためのキャビティが形成される。
【００１９】
射出ユニット１５は制御装置１３によって制御され、バレル２０内で溶融された材料が前記金型のキャビティに向けてノズル２６から射出されるようになっている。バレル２０に温度センサ（図示せず）が設けられており、この温度センサの出力を制御装置１３の温度制御部（図示せず）にフィードバックすることにより、バレル２０内の材料を所定温度に保つようにしている。
【００２０】
図２は、成形機本体１２と、制御装置１３と、操作表示部１４等を示すブロック図である。制御装置１３は、診断検出部４０と、制御演算手段として機能するＣＰＵ（Central Processing Unit）４１と、不揮発性のメモリの１つであるＲＯＭ（Reed Only Memory）４２と、ワークメモリとして機能するＲＡＭ（Random Access Memory）４３と、表示コントローラ４４と、汎用オペレーティングシステム（汎用ＯＳ）４５と、各種データを記憶する記憶装置４６などを含んでいる。記憶装置４６には、各種の成形品ごとに設定された成形条件に関するデータがそれぞれ識別情報を付して記憶されている。
【００２１】
制御装置１３のＲＯＭ４２には成形機１０を所定のシーケンスで作動させるためのプログラムが格納されている。ＣＰＵ４１はこのプログラムに基いて、射出ユニット１５や型締ユニット１６、成形品取出し機構（図示せず）等の周辺機器１７のための信号を所定の順序で出力し、型閉、射出、保圧、計量、型開などの一連の成形サイクルを繰返すようになっている。
【００２２】
診断検出部４０は、成形機１０が作動している間、成形中の特定の時間、圧力、位置などを各種センサ等の検出部からの信号に基いて常時監視し、異常等が検出されたときに、以下に説明するアラーム画面５０のための信号を操作表示部１４に出力し、タッチパネル１４ａにアラーム画面５０を出力する機能を有している。すなわち診断検出部４０は、操作表示部１４のタッチパネル１４ａにアラーム画面５０を表示する手段として機能する。
【００２３】
アラームコメントの一例は、成形された成形品が正常の許容範囲内に収まっていない場合に出力される品質モニタコメントである。これ以外のコメントとして、例えば操作コメントや停止コメント、点検コメント、生産コメントなど、成形機１０を使用するユーザの要求に応じて、各種のコメント（図６に示す）が用意されている。
【００２４】
図３は、タッチパネル１４ａに表示されるアラーム画面５０の一例である。このアラーム画面５０は、診断コード５１と、品質モニタコメントの一例であるアラームコメント５２とを含んでいる。アラーム画面５０中の“Ｑ１４９”は診断コード５１の一例である。“Ｑ１４９”は、充填時間に関するアラームが発生したことを示している。アラーム画面５０の右端に設定ボタン５３が設けられている。
【００２５】
アラーム画面５０の設定ボタン５３を操作する（タッチする）と、図４に示す設定値一覧画面６０が表示される。この設定値一覧画面６０は、アラーム画面５０から切換わってもよいし、あるいはポップアップウインドウ方式にてアラーム画面５０の一部に表示されてもよい。
【００２６】
図４に示された設定値一覧画面６０の一例では、診断コード“Ｑ１４９”の充填時間モニタエラーが発生した場合を示している。設定値一覧画面６０の項目欄６１には、上から順に、成形条件を示す信号名（例えばＬＳ４，ＶＩ１，ＦＩＬＳＴＤ，ＦＩＬＡＬＷ，ＨＮ等）が示されている。名称欄６２には、上から順に、各成形条件（信号名）の名称が具体的に示されている。設定値欄６３には、上から順に、各成形条件（信号名）ごとの設定値が示されている。設定値一覧画面６０の上部に、設定値一覧画面６０を閉じる際に使用する戻りボタン６４が表示されている。戻りボタン６４を操作（タッチ）すると、図３のアラーム画面５０に戻るようになっている。
【００２７】
設定値一覧画面６０に表示された各成形条件のうち、設定値を調整する必要がある場合は、この画面６０上で、所望の項目欄６１か名称欄６２あるいは設定値欄６３にタッチする。そうすると、図５に一例を示す設定画面７０が表示される。この設定画面７０は、設定値一覧画面６０から切換わってもよいし、あるいはポップアップウインドウ方式にて設定値一覧画面６０の一部に表示されてもよい。
【００２８】
図５に示された設定画面７０の一例は、信号名“ＬＳ４”の保圧切換位置を表示している。この設定画面７０には、設定値表示部７０ａに表示された設定値を増加させる際に操作する増加ボタン７１と、設定値を減少させる際に操作する減少ボタン７２と、設定画面７０を閉じる際に操作する終了ボタン７３などが表示されている。増加ボタン７１あるいは減少ボタン７２を操作（タッチ）することにより、設定値表示部７０ａの設定値を変更することができる。終了ボタン７３を操作すると、図４の設定値一覧画面６０に戻るようになっている。
【００２９】
図６に示すように診断検出部４０は、例えば操作コメント、停止コメント、品質モニタコメント、点検コメント、生産コメントなどに対応したメッセージ表示のためのアラームコメントリスト８０をそれぞれ有している。各アラームコメントリスト８０は、それぞれ、複数の診断コード５１とアラームコメント５２とを含んでいる。品質モニタコメントには、例えば数十から数百個の診断コード５１と、各診断コード５１ごとにアラームコメント５２が入力されている。
【００３０】
さらに、アラームコメントリスト８０の各アラームコメント５２ごと、すなわち各診断コード５１ごとに、それぞれ診断コードグループリスト８５が追加されている。図６に示す例では、診断コード“Ｑ１４９”に対応する診断コードグループリスト８５の一部を示している。これら診断コードグループリスト８５は、それぞれの診断コード５１とアラームコメント５２に関係するグループ（分類項目）を示す診断コードグループ欄８６と、チェック欄８７とを有している。診断コードグループ欄８６に設けられた複数の分類項目のうち、診断コード（例えば“Ｑ１４９”）に関係する特定の分類項目のチェック欄８７に予めチェックが入力されている。
【００３１】
図６に示された診断コード“Ｑ１４９”に対応する診断コードグループリスト８５の例では、“充填”と“バレル温度”と“充填時間モニタ”のチェック欄８７にチェックが入力されているが、図示しない他の分類項目にチェックが入っていてもよい。これらアラームコメントリスト８０と診断コードグループリスト８５は、例えば制御装置１３のメモリ（図２に示す記憶装置４６）等の記憶手段に格納されている。
【００３２】
一方、図７は、各種成形条件ごとにそれぞれの成形条件を示す信号名９０と、各信号名９０に対応する詳細情報（成形条件の情報）９１と、信号名９０ごとに作成された成形条件グループリスト９２の例を示している。成形条件グループリスト９２は、成形機１０で使われるグループ（分類項目）を示す成形条件グループ欄９３と、そのチェック欄９４とを有している。成形条件グループ欄９３に入力されている複数の分類項目のうち、それぞれの信号名９０（例えば“ＬＳ４”）に関係する特定の分類項目に予めチェックが入力されている。
【００３３】
図７に示された成形条件“ＬＳ４”に対応する成形条件グループリスト９２の例では、“射出”と“位置”と“充填”と“ＦＩＴ”の各チェック欄９４にチェックが入っているが、図示しない他の分類項目にチェックが入っていてもよい。この成形条件グループリスト９２は、例えば制御装置１３のメモリ（図２に示す記憶装置４６）等の記憶手段に格納されている。
【００３４】
図８は、成形条件“ＨＮ”に対応する成形条件グループリスト９２の一部を示している。この成形条件グループリスト９２の例では、“バレル温度”のチェック欄９４にチェックが入力されている。  
図９は、成形条件“ＦＩＬＳＴＤ”に対応する成形条件グループリスト９２を示している。この成形条件グループリスト９２の例では、“充填時間モニタ”のチェック欄９４にチェックが入っている。
【００３５】
制御装置１３は、診断検出部４０によってアラーム画面５０（図３に一例を示す）が表示されたとき、以下に説明する処理を行なうことにより、設定値一覧画面６０（図４に一例を示す）を表示できるようにコンピュータプログラムが組まれている。以下に、設定値一覧画面６０を作成する処理の流れについて説明する。以下の説明では、品質モニタコメントの処理の流れについて述べるが、これ以外のコメント、例えば操作コメントや停止コメント、点検コメント、生産コメントなどの処理の流れも同様である。
【００３６】
診断検出部４０によって操作表示部１４のタッチパネル１４ａにアラーム画面５０が表示される。アラーム画面５０には、診断コード５１とアラームコメント５２などが含まれている。このアラーム画面５０上の設定ボタン５３が操作されると、図１０に示すフローチャートに沿って、設定値一覧画面６０を作成する処理が行なわれる。
【００３７】
設定ボタン５３が操作されると、図１０中のＡｃｔ１において、設定値一覧画面６０の初期化が行なわれる。そののち、Ａｃｔ２において、診断コード５１に応じた診断コードグループリスト８５（図６に示す）がメモリから呼び出される。すなわちＡｃｔ２は、アラーム画面５０の設定ボタン５３が操作されたときにアラーム画面５０上のアラームコメント５２に対応した診断コードグループリスト８５を呼び出す手段として機能する。
【００３８】
Ａｃｔ３では、診断コードグループリスト８５のチェック欄８７を検索し、チェックが入力されている特定の分類項目を抽出する。抽出された分類項目があればＡｃｔ４に進み、その分類項目に検索番号を設定する。図６の例では、診断コードグループリスト８５の“充填”と“バレル温度”と“充填時間モニタ”にチェックが入力されているため、Ａｃｔ４では、まず“充填”に検索番号を割り当て、Ａｃｔ５に進む。
【００３９】
Ａｃｔ５では、図７に示された各成形条件（信号名９０）ごとに成形条件グループリスト９２を呼び出すとともに、呼び出された各成形条件グループリスト９２中にチェックのある特定の分類項目と、前記検索番号を割り当てた特定の分類項目（例えば“充填”）とが互いに一致するか否かが照合される。
【００４０】
Ａｃｔ６において、互いに一致する分類項目があると判断された場合には、Ａｃｔ７に進み、一致した分類項目に対応した成形条件（信号名９０）に対応する詳細情報９１のデータ（成形条件の情報等）が、設定値一覧画面６０用のメモリに格納される。
【００４１】
例えば、図６に示す診断コードグループリスト８５のチェック欄８７にチェックがある“充填”は、図７に示す成形条件“ＬＳ４”の成形条件グループリスト９２中の“充填”にチェックが入っているため、成形条件“ＬＳ４”に関する詳細情報９１のデータが設定値一覧画面６０用のメモリに格納される。図示していないが、成形条件“ＶＩ１４”の成形条件グループリストにも“充填”にチェックが入っているため、成形条件“ＶＩ１４”に関する詳細情報のデータも設定値一覧画面６０用のメモリに加わる。
【００４２】
このようにして１番目に検索番号を割り当てた特定の分類項目（例えば“充填”）について、各成形条件ごとの成形条件グループリスト９２中にチェックがある分類項目と一致するか否か検索（照合）され、互いに一致した分類項目がある場合に、その成形条件（信号名９０）に対応する詳細情報９１のデータが設定値一覧画面６０用のメモリに加わる。
【００４３】
すなわち前記Ａｃｔ５〜Ａｃｔ７は、呼び出された診断コードグループリスト８５中の各分類項目のうち特定の分類項目と成形条件グループリスト９２中の各分類項目とを照合し、両者が互いに一致したときその分類項目が含まれる成形条件グループリスト９２を有する成形条件の情報を設定値一覧画面６０に加える手段として機能する。
【００４４】
Ａｃｔ８において検索番号が更新され、Ａｃｔ９に進む。Ａｃｔ９において検索番号が終了していないと判断されれば、再びＡｃｔ５に戻り、次の検索番号が付されている特定の分類項目（例えば“バレル温度”）について、成形条件グループリスト９２中にチェックのある分類項目と一致するものがあるか否か検索され、互いに一致した分類項目があれば、その成形条件（信号名９０）に対応する詳細情報９１のデータが設定値一覧画面６０用のメモリに加わる。
【００４５】
例えば診断コードグループリスト８５にチェックの入っている“バレル温度”については、図８に示すように“ＨＮ”の成形条件グループリスト９２中の“バレル温度”にチェックがあるため、“ＨＮ”に関する詳細情報９１のデータが設定値一覧画面６０用のメモリに加わる。また、診断コードグループリスト８５にチェックの入っている“充填時間モニタ”については、図９に示すように“ＦＩＬＳＴＤ”の成形条件グループリスト９２中の“充填時間モニタ”にチェックがあるため、“ＦＩＬＳＴＤ”に関する詳細情報９１のデータが設定値一覧画面６０用のメモリに加わる。
【００４６】
以上述べた処理（Ａｃｔ５〜Ａｃｔ９）を経て各分類項目ごとの検索と成形条件の抽出が終了し、Ａｃｔ９において全ての検索番号が終了したと判断されれば、Ａｃｔ１０に進む。Ａｃｔ１０では、前記メモリに格納されていた設定値一覧画面６０（図４）がタッチパネル１４ａに表示される。すなわちＡｃｔ１０は、設定値一覧画面６０をタッチパネル１４ａに表示する手段として機能する。
【００４７】
設定値一覧画面６０に表示されている複数の成形条件のうち、選択したい成形条件があれば、その項目欄６１か名称欄６２あるいは設定値欄６３にタッチすると、例えば図５に示す設定画面７０が表示される。オペレータ等はこの設定画面７０を見ながら設定値を変更することができる。設定画面７０の終了ボタン７３を操作すると、図４の設定値一覧画面６０に戻る。さらに設定値一覧画面６０の戻りボタン６４を操作すると、図３のアラーム画面５０に戻る。
【００４８】
このように本実施形態によれば、診断検出部４０によってアラームコメント５２が表示されたときに、アラーム画面５０中の設定ボタン５３を操作することによってアラームコメント５２に関係する設定値一覧画面６０が表示される。さらに、必要があれば、設定値一覧画面６０に表示された複数の成形条件のうち、いずれかの成形条件を操作（タッチ）することで設定画面７０を表示することができるため、選択された成形条件の設定値を変更することができる。このため成形中に時々刻々と変化する成形機１０の状態に応じて、最適な成形条件となるように設定値を再設定あるいは微調整することが可能となり、成形品の品質を高レベルに維持することができる。
【００４９】
すなわち本実施形態では、アラーム画面５０の設定ボタン５３が操作された時点で、アラームコメントに対応する診断コードグループリスト８５中の特定の分類項目と、成形条件グループリスト９２中の特定の分類項目とで一致するものがあるか否かを順次検索し、一致する分類項目が存在したときその成形条件の情報（例えば設定値等）を設定値一覧画面６０に順次加えるようにしている。
【００５０】
このようにする代りに、全てのアラームコメントを網羅できるような成形条件情報の全てを予めメモリに格納しておくことも考えられる。しかしアラームコメントの種類はきわめて多く（例えば数百種類）、かつ、各アラームコメントに関係する成形条件（信号名）が数千個も存在する場合には膨大なメモリが必要となり、データ入力に要する手間も著しく多くなる。これに対し本実施形態では、前記したように、アラームコメントが表示された時点でアラームコメントに関係する成形条件を分類項目に基いて抽出し、設定値一覧画面６０を作成し表示するため、多種多様なアラームコメントに対して設定値一覧画面６０を表示するのに要するメモリを節約することができるとともに、設定値一覧画面６０のためのデータ入力に要する手間も軽減されるものである。
【００５１】
なお本発明を実施するに当たって、診断コードやアラームコメント、診断コードグループリスト、成形条件の信号名、成形条件グループリストをはじめとして、操作表示部等に表示される各画面の具体的な態様を必要に応じて種々に変更して実施できることは言うまでもない。また前記成形条件に成形機のサーボパラメータ、速度、位置、圧力、時間が含まれていてもよい。また本発明は、射出成形機以外に、例えばダイキャスト成形機等の金型を使用する成形機であれば同様に適用することができる。
【符号の説明】
【００５２】
１０…成形機，１３…制御装置，１４…操作表示部（ヒューマンマシン・インタフェース部），１４ａ…タッチパネル，４０…診断検出部，４６…記憶装置，５０…アラーム画面，５１…診断コード，５２…アラームコメント，５３…設定ボタン，６０…設定値一覧画面，６４…戻りボタン，７０…設定画面，８５…診断コードグループリスト，９２…成形条件グループリスト。
【図１】
0005820701.tif 000002
【図２】
0005820701.tif 000003
【図３】
0005820701.tif 000004
【図４】
0005820701.tif 000005
【図５】
0005820701.tif 000006
【図６】
0005820701.tif 000007
【図７】
0005820701.tif 000008
【図８】
0005820701.tif 000009
【図９】
0005820701.tif 000010
【図１０】
0005820701.tif 000011